(57)【要約】【課題】  複数の光源を同一筐体内に納めた光源素子を用いて情報の記録再生を行う際に、光源からの光の取り込み効率が低く情報の高速記録再生性能確保が困難である。【解決手段】  発振波長が相異なる第１の光源１ａと第２の光源１ｂとを同一筐体内に備える光出射素子１からそれぞれ出射する光は、ビームスプリッター４、コリメートレンズ５を経て、対物レンズ６によりＤＶＤ７およびＣＤ８に集光する。ＤＶＤ７およびＣＤ８から反射した光は、対物レンズ６、コリメートレンズ５を経て、ブームスプリッター４を透過して光検出器１０に入射し、各種信号を検出する。第１の光源１ａの水平方向放射角を第２の光源１ｂの水平方向放射角よりも大きくすることにより、第１の光源１ａおよび第２の光源１ｂからの光の取り込み効率を近づけることができ、高速記録再生性能が向上する。【選択図】  図１
2005332565.tif 000002
【特許請求の範囲】
【請求項１】
第１の波長を有する光を出射する第１の光源と、
前記第１の波長とは異なる第２の波長を有する光を出射する第２の光源と
を備えた光出射素子であって、
前記第１の光源と前記第２の光源とは同一の筐体内に配置されており、
前記第１の光源から出射される光の水平方向放射角をθｈ１（半値全角）とし、前記第２の光源から出射される光の水平方向放射角をθｈ２（半値全角）とするとき、θｈ１＞θｈ２という関係を満たす、光出射素子。
【請求項２】
θｈ１／θｈ２＞１．１という関係を満たす、請求項１に記載の光出射素子。
【請求項３】
θｈ１／θｈ２＞１．３という関係を満たす、請求項１に記載の光出射素子。
【請求項４】
前記第１の光源の最大定格光出力をＰ１とし、前記第２の光源の最大定格光出力をＰ２とするとき、Ｐ２＞Ｐ１という関係を満たす、請求項１に記載の光出射素子。
【請求項５】
前記第１の光源の波長λ１とし、前記第２の光源の波長λ２とするとき、λ２＞λ１という関係を満たす、請求項１に記載の光出射素子。
【請求項６】
前記第１の光源の発光点と前記第２の光源の発光点との間隔が１５０μｍ以下である、請求項１に記載の光出射素子。
【請求項７】
前記θｈ２が７°以下である、請求項１に記載の光出射素子。
【請求項８】
前記θｈ１が１０°以上であり、かつ、前記θｈ２が８°以下である、請求項１に記載の光出射素子。
【請求項９】
前記第１の光源から出射される光の垂直方向放射角をθｖ１（半値全角）とし、前記第２の光源から出射される光の垂直方向放射角をθｖ２（半値全角）とするとき、θｖ１＞θｖ２という関係を満たす、請求項１に記載の光出射素子。
【請求項１０】
前記第１の光源および前記第２の光源のうちの少なくとも一方は、対応する光源から出射した光を反射することによって得られる反射光を受光する光検出器が配置されている基板と同一の基板上に配置されている、請求項１に記載の光出射素子。
【請求項１１】
複数の光源を有する光出射素子と、
前記複数の光源からの光を記録媒体に集光する対物レンズと、
前記複数の光源からの光を略平行光に変換するコリメートレンズと、
前記記録媒体からの反射光を受光する光検出器と
を備えた情報処理装置であって、
前記複数の光源は、第１の波長を有する光を出射する第１の光源と、前記第１の波長とは異なる波長を有する光を出射する第２の光源とを含み、
前記第１の光源と前記第２の光源とは同一の筐体内に配置されており、
前記第１の光源から出射される光の水平方向放射角をθｈ１（半値全角）とし、前記第２の光源から出射される光の水平方向放射角をθｈ２（半値全角）とするとき、θｈ１＞θｈ２という関係を満たし、
前記コリメートレンズの焦点距離をｆｃとし、前記対物レンズの焦点距離をｆｏとするとき、前記コリメートレンズと前記対物レンズとは、光学倍率ｆｃ／ｆｏの値が前記第１の光源からの光を前記記録媒体に集光する際の集光性能を最適化するように構成されている、情報処理装置。
【請求項１２】
前記光学倍率ｆｃ／ｆｏの値が６．５以下である、請求項１１に記載の情報処理装置。
【請求項１３】
θｈ１／θｈ２＞１．１という関係を満たす、請求項１１に記載の情報処理装置。
【請求項１４】
θｈ１／θｈ２＞１．３という関係を満たす、請求項１１に記載の情報処理装置。
【請求項１５】
前記第１の光源の最大定格光出力をＰ１とし、前記第２の光源の最大定格光出力Ｐ２とするとき、Ｐ２＞Ｐ１という関係を満たす、請求項１１に記載の情報処理装置。
【請求項１６】
前記第１の光源の波長λ１とし、前記第２の光源の波長λ２とするとき、λ２＞λ１という関係を満たす、請求項１１に記載の情報処理装置。
【請求項１７】
前記第１の光源の発光点と前記第２の光源の発光点との間隔が１５０μｍ以下である、請求項１１に記載の情報処理装置。
【請求項１８】
前記θｈ２が７°以下である、請求項１１に記載の情報処理装置。
【請求項１９】
前記θｈ１が１０°以上であり、かつ、前記θｈ２が８°以下である、請求項１１に記載の情報処理装置。
【請求項２０】
前記第１の光源から出射される光の垂直方向放射角をθｖ１（半値全角）とし、前記第２の光源から出射される光の垂直方向放射角をθｖ２（半値全角）とするとき、θｖ１＞θｖ２という関係を満たす、請求項１１に記載の情報処理装置。
【請求項２１】
前記複数の光源のうちの少なくとも１つが前記光検出器が配置されている基板と同一の基板上に配置されている、請求項１１に記載の情報処理装置。
【発明の詳細な説明】
【技術分野】
【０００１】
本発明は、情報の記録再生を光学的に行うための光出射素子および情報処理装置に関する。
【背景技術】
【０００２】
情報の記録密度が異なる複数の記録媒体を単一の装置で記録再生を行う場合、一般に複数の光源を有する情報処理装置が用いられる。例えば、Ｄｉｇｉｔａｌ  Ｖｅｒｓａｔｉｌｅ  Ｄｉｓｃ（以下「ＤＶＤ」と略称する）とコンパクトディスク（以下「ＣＤ」と略称する）というフォーマットの異なる記録媒体に対し、波長の異なる２つの光源を有する単一装置によって再生あるいは記録する技術が実用に供されている。
【０００３】
複数の光源を有する実用装置の多くで用いられている光出射素子は、一つの筐体に単一の光源が格納されたものであり、光源の数だけ光出射素子を装置内に配置しているが、最近では波長の異なる２つの光源を単一の筐体に格納した光出射素子（以下「２波長光源素子」と略称する）を用いた装置が特許文献１に提案されている。この構成により装置構成の簡素化が図れ、部品や組み立て調整工数の削減による低価格化、あるいは、装置の高信頼性化を実現することができる。
【０００４】
図５はこの２波長光源素子を用いた構成例の説明図である。５１ａは波長λ１の光を出射する第１の光源、５１ｂは波長λ２の光を出射する第２の光源である。光源５１ａおよび５１ｂは２波長光源素子５１内に配置されている。
【０００５】
光源５１ａから出射された光２は、ビームスプリッター４によって反射され、コリメートレンズ５により略平行光に変換され、対物レンズ６によって第１の記録媒体７に集光される。第１の記録媒体７で反射された光は、逆の経路をたどってビームスプリッター４に到達、一部の光は透過し、検出レンズ９を経て光検出器１０に入射する。光検出器１０に入射した光によりフォ−カス、トラッキング、ＲＦ等各種信号の検出が行われる。なお、光検出器１０の構成や、各種信号の検出方式は本発明の本質的な構成要素ではなく、また様々な構成が既に公知であるためその説明は省略する。
【０００６】
一方、第２の光源５１ｂから出射された光３も、第１の光源５１ａから出射された光２と同じ経路を経て対物レンズ６に到達し、第２の記録媒体８に集光される。第１の記録媒体７と第２の記録媒体８とは基材厚が異なるため、対物レンズ６は両方の基材厚に対し球面収差が補正される構成となっている。このような対物レンズ６の構成や、球面収差の補正方法は本発明の本質的な構成要素ではなく、また様々な構成が既に公知であるため、その説明は省略する。第２の記録媒体８で反射された光は、逆の経路をたどってビームスプリッター４に到達、一部の光は透過し、検出レンズ９を経て光検出器１０に入射する。光検出器１０に入射した光によりフォ−カス、トラッキング、ＲＦ等各種信号の検出が行われる。光検出器１０の構成や、各種信号の検出方式は前述したとおり本発明の本質的な構成要素ではなく、また様々な構成が既に公知であるためその説明は省略する。
【０００７】
一方で近年、ＣＤやＤＶＤの記録において高速記録に対するニーズが高まっている。そのニーズに対応するには、高速記録を行うのに必要な高い光出力を対物レンズから出射する必要がある。ＣＤ記録用光源およびＤＶＤ記録用光源として現在実用化されている高出力の半導体レーザから出射される光の放射角（半値全角）は、ともに水平方向が７〜１０°で、垂直方向が１６〜２３°程度とほぼ同等の放射特性を備えている。光源からの出射光の放射角、および対物レンズの開口数（Ｎｕｍｅｒｉｃａｌ  Ａｐｅｒｔｕｒｅ：以下「ＮＡ」と略称する）が同じ場合には、光学倍率ｆｃ／ｆｏ（ただし、ｆｃはコリメートレンズの焦点距離、ｆｏは対物レンズの焦点距離）を小さくした方が光の取り込み効率は高く、半導体レーザからの光を効率よく対物レンズへ導くことができる。そのため、ｆｃ／ｆｏが小さい方が、対物レンズ出射後に高い光出力が必要な高速記録対応の装置を実現するのに都合がいい。だたし、ｆｃ／ｆｏを小さくし過ぎると、リム強度が下がることにより、集光スポット径が大きくなったり、記録媒体からの反射光の信号品質が落ちるなどし、十分な装置性能を確保することができなくなるという弊害がある。そのため、光の取り込み効率とリム強度との両立点としてｆｃ／ｆｏ＝４〜５の構成が、現在の一般的なＣＤ記録用半導体レーザを用いた際の最適な光学倍率として採用されている。
【０００８】
一方のＤＶＤの記録再生においては、単位面積当たりの情報の記録密度がＣＤに比べて高いため、集光スポットをＣＤのそれに対し小さく絞る必要がある。そのために光源である半導体レーザの波長をＣＤ用のものに対し短くしたり（ＣＤ用：略０．７８μｍ、ＤＶＤ用：略０．６５μｍ）、対物レンズのＮＡを大きくする（ＣＤ用：略０．４５〜０．５３、ＤＶＤ用：略０．６０〜０．６７）などしているが、リム強度についてもＣＤ記録用の光学系に対し高くする必要がある。そのため、ｆｃ／ｆｏはＣＤ記録用に対し高く、ｆｃ／ｆｏ＝６〜７の構成が現在の一般的なＤＶＤ記録用半導体レーザを用いた際には最適となる。
【特許文献１】特開２００２−１９０１３３号公報
【発明の開示】
【発明が解決しようとする課題】
【０００９】
しかしながら、光源１０ａから対物レンズ６までの光学系と、光源１０ｂから対物レンズ６までの光学系とが同一であるため、光学倍率ｆｃ／ｆｏは略同一の値となり（厳密には波長による屈折率の相違いにより、各波長に対するレンズの焦点距離はわずかに異なるが）、各々に最適なｆｃ／ｆｏとなる構成をとることができない。よって、ＤＶＤ記録用光学系とＣＤ記録用光学系のように最適なｆｃ／ｆｏが異なる場合には、ＣＤの高速記録性能とＤＶＤの集光スポットの集光性に起因する記録再生性能との両立を図ることができないという課題を有している。
【００１０】
すなわち、複数の光源が同一筐体内に配置された光出射素子を用い、ＤＶＤ記録用光学系とＣＤ記録用光学系のように最適な光学倍率（ｆｃ／ｆｏ）が異なる光学系を同一光学系にて構成する場合には、従来の技術では各々の光学系に最適なｆｃ／ｆｏとなる構成をとることができないため、光学倍率をＤＶＤ記録用光学系に最適なｆｃ／ｆｏに近い値とすると、ＣＤの光源からの光の利用効率が低くなり高速記録性能が得られなくなる点や、逆に光学倍率をＣＤ記録用光学系に最適なｆｃ／ｆｏに近い値とすると、ＤＶＤの光源から対物レンズに入射する光のリム強度が低下することによりＤＶＤの集光スポットの集光性が低下し、ＤＶＤ記録再生性能を確保することができなかった。
【００１１】
そこで、本発明は係る従来の課題を解決するもので、波長の異なる複数光源を用いながら、規格が異なる複数種類の記録媒体の記録再生性能を向上することを目的とする。
【課題を解決するための手段】
【００１２】
本発明の光出射素子は、第１の波長を有する光を出射する第１の光源と、第１の波長とは異なる第２の波長を有する光を出射する第２の光源とを備えている。第１の光源と前記第２の光源とは同一の筐体内に配置されている。第１の光源から出射される光の水平方向放射角をθｈ１（半値全角）とし、第２の光源から出射される光の水平方向放射角をθｈ２（半値全角）とするとき、θｈ１＞θｈ２という関係を満たす。
【発明の効果】
【００１３】
本発明は、最適光学倍率が相対的に小さい光学系に用いる光源からの光の水平方向出射放射角を、最適光学倍率が相対的に大きい光学系に用いる光源からの光の水平方向出射放射角に対し狭くする構成で、複数の光源が同一筐体内に配置された光出射素子を用い、規格が相異なる複数種類の記録媒体の記録再生性能を満足することができる。
【発明を実施するための最良の形態】
【００１４】
複数の光源が同一筐体内に配置された光出射素子を用いた光学系において、最適な光学倍率の異なる情報処理装置の性能を両立するという目的を、従来例と同じ光学系構成で実現した。
【００１５】
以下、本発明の一実施形態について、図面を参照しながら説明する。なお、図面において同じ参照記号は同一または同等のものを示す。図１は本実施形態の要部構成図である。光源１ａおよび１ｂが２波長光源素子１内に配置されている。光源１ａおよび１ｂから出射された光が記録媒体７および８によって反射され、光検出器１０へ入射する動作については従来例と同じであるため詳細な説明は省略する。
【００１６】
図２は２波長光源素子１に備える光源１ａおよび１ｂの要部拡大図である。光源１ａおよび１ｂは半導体レーザであり、光源１ａにおいてＰ型電極２１ａからＮ型電極２２ａに電流を流すと活性層２５ａ内でキャリア（電子・ホール）が再結合し、活性層２５ａの物性に固有のバンドギャップエネルギーに応じた波長の光が発生し、この光を活性層２５ａに閉じこめる光ガイド層間を光が繰り返し反射することにより、発光点２３ａからレーザ光が出射される。光源２ｂも同様にＰ型電極２１ｂからＮ型電極２２ｂに電流を流すことにより、発光点２３ｂからレーザ光を出射する。なお、半導体レーザの動作原理は本発明の本質的な構成要素ではなく、また構成が既に公知であるため、その詳細な説明は省略する。
【００１７】
発光点２３ａから出射した出射光２４ａの水平方向ファーフィールドパターン、および発光点２３ｂから出射した出射光２４ｂの水平方向ファーフィールドパターンの一例を図３に示す。図３における横軸は角度、縦軸は正規化光強度である。半導体レーザから出射される光の出射角については半値全角で定義されるのが一般的であるため、次に説明する出射光の放射角は半値全角とする。発光点２３ａから出射した出射光２４ａの水平方向放射角（半値全角）θｈ１、発光点２３ｂから出射した出射光２４ｂの水平方向放射角（半値全角）θｈ２は、同図に示すようにθｈ１＞θｈ２の関係にある。なお、図３ではθｈ１＞θｈ２の関係が見やすいように、出射光２４ａと出射光２４ｂとのファーフィールドパターンの強度分布中心を一致させて記したが、実際には同一観測点から出射光２４ａと出射光２４ｂとのファーフィールドパターンを観測すると、発光点２３ａと発光点２３ｂとの隔差により、水平方向ファーフィールドパターンの強度分布中心は一致しない場合がある。半導体レーザの水平方向放射角を制御する方法としては、例えば活性層の組成や、活性層内に光を閉じこめる光ガイド層の横方向（水平方向）の屈折率分布を調整することにより制御することができる。例えば、組成に関しては０．７８μｍ帯高出力半導体レーザではＡｌＧａＡｓ系などの材料が活性層に光を閉じこめる光ガイド層として使用されるが、Ａｌ組成比により活性層の光密度を調整することができる。また、光ガイド層の横方向（水平方向）の屈折率分布に関しては、エッチングによって形成するリッジの幅や、リッジ両側にある光吸収埋め込み層（あるいは低屈折率層）界面と活性層界面との距離を調整することになどにより制御することができる。発光点から出射した光は回折により拡散しながら伝搬していくため、発光点における光密度が高い（発光点におけるニアーフィールドパターンが狭い）ほどファーフィールドパターンにおける放射角は広くなる。このような半導体レーザの設計製造技術を用いることにより、水平方向放射角を制御することが可能である。
【００１８】
次に、θｈ１＞θｈ２による効果を説明する。具体的な例として、光源１ａをＤＶＤ記録用光源、光源１ｂをＣＤ記録用光源とし、θｈ１、θｈ２、θｖ１、θｖ２、対物レンズ６の焦点距離ｆｏ、コリメートレンズ５の焦点距離ｆｃ、ＤＶＤ用の光１１に対する対物レンズ６の開口数ＮＡ１、ＣＤ用の光１２に対する対物レンズ６の開口数ＮＡ２を下記表のような値とした場合について説明する。ここでθｖ１とθｖ２とは、それぞれ光源１ａ、１ｂから出射される出射光２４ａおよび２４ｂの垂直方向放射角（半値全角）である。なお、光源１ａおよび１ｂから出射される出射光２４ａおよび２４ｂの水平ならびに垂直方向ファーフィールドパターンは理想的な正規分布（ガウス分布）とし、光源１ａおよび１ｂから対物レンズ６までの光学部品の反射、透過による光の損失がないと仮定する。
【００１９】
【表１】
2005332565.tif 000003
条件０はθｈ１＝θｈ２＝９°の場合であり、表中の光学パラメータにおいて、光源１ａから対物レンズ６に取り込まれる光の効率η１、光源１ｂから対物レンズ６に取り込まれる光の効率η２は、ガウス分布関数の積分から求まり、それぞれ、η１は０．４２，η２は０．２８となる。光源１ａおよび光源１ｂの最大定格出力Ｐ１およびＰ２をともに２００ｍＷとした場合、光源が最大発光した際に光源１ａから対物レンズ６を出射する光出力Ｐｏ１、光源１ｂから対物レンズ６を出射する光出力Ｐｏ２はそれぞれＰｏ１＝８４ｍＷ、Ｐｏ２＝５６ｍＷとなる。
【００２０】
ここで、θｈ１＞θｈ２なる条件１では、θｈ２を８°としている。このときのη２は０．３０となり条件０に比べて光の取り込み効率が向上しているのがわかる。その結果、Ｐｏ２も６０ｍＷとなり、条件０に比べて４ｍＷの出力向上が実現される。このときのθｈ１／θｈ２は約１．１である。
【００２１】
さらに条件２では、θｈ２を７°としている。このときのη２は０．３３となり、さらに光の取り込み効率を向上することができる。その結果、Ｐｏ２は６６ｍＷとなり、条件０に比べて１０ｍＷの出力向上が実現される。このときのθｈ１／θｈ２は約１．３である。
【００２２】
θｈ１／θｈ２を制御することは先に述べた半導体レーザの設計製造技術により可能だが、半導体レーザには装置で使用する上で様々な特性が要求される。出力最大定格、動作電流、動作電圧、発光効率、水平・垂直方向放射角、温度特性、寿命等である。これらの特性は半導体レーザの構造により制御されているが、半導体レーザの構造を変更してある特性を変えると他の特性も同時に変化してしまうのが一般である。これらの特性をバランスよく満足する構造のものが現在、ＤＶＤ，ＣＤ記録用半導体レーザとして実用に供されている。その結果、ＤＶＤ、ＣＤ記録用半導体レーザの水平方向放射角（半値全角）は現在ほぼ同等の値となっている。本発明の効果はθｈ１／θｈ２を１より大きくするほど大きいが、そのためにθｈ１を現状より大きくする、あるいは、θｈ２を現状より小さくするということは、半導体レーザの構造を現状から変更することと等価であるため、他の特性を損ねるリスクをはらんでおり、θｈ１／θｈ２の値が１より大きくなるほどそのリスクも増大すると言える。よって、上述の条件１におけるθｈ１／θｈ２＝１．１の場合は、Ｐｏ２の向上効果はそれほど大きくはないが、半導体レーザの総合特性を損なうリスクは少なく実現性が高いと言える。また、条件２におけるθｈ１／θｈ２＝１．３の場合は、Ｐｏ２の向上効果は大きいが半導体レーザの総合特性を損なうリスクは条件１よりは大きいと言える。よって、装置に求められるＰｏ２の要求度にあわせ、半導体レーザの総合性能におけるリスクを考慮した上で本発明を利用することが望ましい。
【００２３】
記録媒体に光を照射した際の熱を利用して情報の記録を行うＣＤの記録において高速記録を行う際には、記録媒体を高速で回転させるのが一般であるが、その場合、単位時間あたりに記録媒体に照射される光パワーが低下するため、対物レンズからより高い光パワーを出射する必要がある。そのため、上述の例のように対物レンズからの光出力を高出力化することは、より高速な情報の記録を可能とすることができる効果がある。
【００２４】
また、ＤＶＤ用の光源の最大定格光出力Ｐ１、ＣＤ用の光源の最大定格光出力Ｐ２をＰ２＞Ｐ１とした上で、上述のようにθｈ１＞θｈ２とすれば、さらにＣＤの高速記録性能の向上が図れる。光源として半導体レーザを用いた場合に、その最大定格光出力を上げるには様々な手法があるが、例えば、光出射端面に光が吸収されないように端面付近にＺｎなどの材料を拡散させたり、半導体レーザの共振器長を長くしたり、活性層内で光の吸収損失の少ない実屈折率導路波路構造を採用するなどの手法がすでに公知である。
【００２５】
また、装置を構成する際に実現したい高速記録性能、つまり、光源１ａを用いた情報の高速記録性能と、光源１ｂを用いた情報の高速記録性能を鑑みて、各々の高速記録性能を実現するため、対物レンズから出射することが必要な光源１ａからの光出力Ｐｏ１と、光源１ｂからの光出力Ｐｏ２とを比較したときに、Ｐｏ２＞Ｐｏ１である場合にはθｈ１＞θｈ２，Ｐｏ１＞Ｐｏ２である場合にはθｈ２＞θｈ１とすれば、光源の最大定格出力を無闇に上げることなく、両光源を用いた情報の高速記録性能を両立することができる効果もある。これは、光源の低価格化と等価であり、波長が相異なる複数の光源を備える光出射素子を安価とすることができ、当該光出射素子を適用する情報処理装置も安価にすることができる。
【００２６】
また、光による情報記録再生用装置に用いられる半導体レーザの場合、波長が短いものほど実用化された時期が新しく、水平方向放射角などの特性値の選択自由度は狭いのが一般である。よって、ＣＤ記録、ＤＶＤ記録両用の装置のように複数フォーマットの記録媒体に情報を記録する装置において、波長の長い光源を使用する光学系の方が、対物レンズから出射される光出力としては高出力なものが求められる場合には、波長の長い光源の方が一般に水平方向放射角の設計自由度は広いため、波長の長い光源の水平方向放射角を波長の短い光源の水平方向放射角に対して狭く設定することは比較的容易に実現できる。これも光源の低価格化に効果を奏する。
【００２７】
また、本実施形態における２波長光源素子において、光源１ａの発光点と光源１ｂの発光点との位置を近づけて（例えば１５０μｍ以下に）配置することにより、コリメートレンズや対物レンズを透過した際に発生する軸外収差や、対物レンズに入射する光の開口制限中心と開口制限に入射する光の強度中心ずれによる取り込み効率のロスを抑制することができる。
【００２８】
また、現在のＣＤ記録用光源の水平方向放射角（半値全角）は７°程度が実用一般に用いられているものとしてはほぼ下限となっているが、これを先に述べたような半導体レーザの設計製造手法を用いることによりさらに小さくすることも可能である。これによりＤＶＤ用光源の水平方向広がり角を何らかの理由により従来の７〜１０°の範囲の中で狭めの設定とした場合にもＣＤ側の効率を確保することができる。具体例としてθｈ１＝８°とした場合を説明する。先に説明した例ではθｈ１＝９°としていたが、このときのｆｃは２０ｍｍであった。これは、光源１ａから対物レンズ６へ入射する光の水平方向のリム強度をＤＶＤの集光スポット性能を得るための値に設定するためのものであり、光学倍率（ｆｃ／ｆｏ）の設定でコントロールすることが出来る。θｈ１を８°にした場合は、θｈ１：ｆｏ＝９°：２０ｍｍのときと略等価の水平方向リム強度を得る条件は、θｈ１：ｆｏ＝８°：２２．５ｍｍとなる。
【００２９】
この条件にてθｈ１＞θｈ２なる条件３ではθｈ２＝６°とすることにより、下表に示すようにη２＝０．３０となり、条件０に比べて４ｍＷの出力向上が実現される。このときのθｈ１／θｈ２は約１．３である
また、ＤＶＤ用光源の水平方向広がり角を高めの設定とした場合は、光学倍率を変更することによりＤＶＤ側の効率向上も図ることができる。例えば、θｈ１＝１０°とした場合、ＤＶＤの集光スポット性能を得るための光源１ａから対物レンズ６へ入射する光の水平方向のリム強度を確保するｆｃの値は１８ｍｍとなる。この条件にてθｈ１＞θｈ２なる条件４でθｈ２＝９°とした場合、下表に示すようにη２＝０．３３となり、条件０に比べてＰｏ２を１０ｍＷ出力向上させるとともに、η１も０．４５となり、条件０に比べてＰｏ１を６ｍＷ出力向上させることができる。このときのθｈ１／θｈ２は約１．１である。
【００３０】
さらに、条件５では、θｈ２＝７°としており、上述の光学倍率低減による効率向上効果と相まってη２は０．３８となり、条件０に比べて２０ｍＷもの出力向上を実現することができる。このときのθｈ１／θｈ２は約１．４である
【００３１】
【表２】
2005332565.tif 000004
また、ＣＤ用光源の垂直方向放射角θｖ２をＤＶＤ用光源の垂直方向放射角θｖ１に対し狭く設定することにより、さらにＣＤ光源からの光の取り込み効率を高めることができるため、ＣＤの高速記録性能向上に効果がある。
【００３２】
また、図４は、本発明に係る他の実施形態を示す要部構成図で、同図に示すように、光源１ａ、１ｂと光検出器１０ａ、１０ｂを同一筐体内に配置した光源ユニット４１として構成することにより、装置の小型化、低価格化や信頼性の向上などを図ることができる。すなわち、同図の構成において、光源１ａから出射し、記録媒体７によって反射された光は光分岐素子４２によって光検出器１０ａおよび１０ｂに入射し、フォ−カス、トラッキング、ＲＦ等各種信号等の検出が行われる。同様に光源１ｂから出射し、記録媒体８によって反射された光は光分岐素子４２によって光検出器１０ａおよび１０ｂに入射し、フォ−カス、トラッキング、ＲＦ等各種信号等の検出が行われる。光検出器１０ａ、１０ｂ、光分岐素子４２の構成や、各種信号の検出方式は本発明の本質的な構成要素ではなく、また様々な構成が既に公知であるためその説明は省略する。
【００３３】
これまでに説明した実施形態は、２波長光源素子として主にＤＶＤ記録用、ＣＤ記録用の場合を例にとって説明したが、最近実用化されたＢｌｕ−ｒａｙ  Ｄｉｓｋ（以下「ＢＤ」と略称する）と呼ばれるＤＶＤよりもさら高密度な記録媒体も含めて、例えば、ＢＤ記録用とＤＶＤ記録用、あるいはＢＤ記録用とＣＤ記録用の光源が同一筐体内に納められた２波長光源素子、あるいはＢＤ記録用、ＤＶＤ記録用、ＣＤ記録用の光源が同一筐体内に納められた３波長光源素子構成であっても、同様に本発明を適用できることはいうまでもない。また、これまでに説明した実施形態では、光源から対物レンズに取り込まれる光の効率を上げることにより高速記録性能を向上させるという効果を例として説明したが、対物レンズから出射される光出力を上げることにより情報の再生性能が向上する場合にも同様の効果を発揮することはいうまでもない。
【００３４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。  
【産業上の利用可能性】
【００３５】
本発明にかかる光出射素子及び情報処理装置は、波長の異なる複数の光源が同一筐体内に配置された光出射素子において、一方の光源の水平方向放射角を他方の光源の水平方向放射角に対し小さく構成することにより、情報の高速記録再生が可能な小型、低価格な装置を実現する際に用いるのに適している。
【図面の簡単な説明】
【００３６】
【図１】本発明の一実施形態による情報処理装置の要部構成図
【図２】同光源の構成を説明する図
【図３】同光源から出射された光の水平方向ファーフィールドパターンを示す図
【図４】本発明の他の実施形態による情報処理装置の要部構成図
【図５】従来の情報処理装置の要部構成図
【符号の説明】
【００３７】
１、５１  ２波長光源素子
１ａ、１ｂ、５１ａ、５１ｂ  光源
２、３  光源から出射された光
４  ビームスプリッター
５ コリメートレンズ
６  対物レンズ
７、８  記録媒体
９  検出レンズ
１０、１０ａ、１０ｂ  光検出器
１１、１２  対物レンズによって集光される光
２１ａ、２１ｂ  Ｐ型電極
２２ａ、２２ｂ  Ｎ型電極
２３ａ、２３ｂ  発光点
２４ａ、２４ｂ  半導体レーザからの出射光
２５ａ、２５ｂ  活性層
４１  光源ユニット
４２  光分岐素子
【図１】
2005332565.tif 000005
【図２】
2005332565.tif 000006
【図３】
2005332565.tif 000007
【図４】
2005332565.tif 000008
【図５】
2005332565.tif 000009